(57)【要約】      （修正有）【課題】比較的安価で温度指針と湿度指針とが交差する点を確認することなく温度が低下する、あるいは温度が上昇するなどの温度変化を容易に認識できる筆記具を提供する。【解決手段】筆記具１０は、筆記具本体１１とノック部１２とペン先部１３とクリップ部１４を有するものであり、筆記具本体の全部または一部または、ノック部あるいは、クリップ部が、温度変化によって可逆的に色調が変化する感温変色性組成物を含む合成樹脂で構成されている。筆記具本体は外筒部及び内筒部を有し、内筒部を可逆的に色調が変化する感温変色性組成物を含む合成樹脂とし、外筒部に窓部を設けて内筒部の一部を視認可能としてもよい。【選択図】図１
0003196404.tif 000002
【実用新案登録請求の範囲】
【請求項１】
少なくとも筆記具本体とノック部とペン先部を有する筆記具であって、前記筆記具本体の全部または一部を温度変化によって可逆的に色調が変化する感温変色性組成物を含む合成樹脂よりなることを特徴とする筆記具。
【請求項２】
少なくとも筆記具本体とノック部とクリップ部とペン先部を有する筆記具であって、前記ノック部あるいはクリップ部のいずれかあるいは双方を温度変化によって可逆的に色調が変化する感温変色性組成物を含む合成樹脂よりなることを特徴とする筆記具。
【請求項３】
前記筆記具本体は外筒部及び内筒部を有し、前記内筒部を可逆的に色調が変化する感温変色性組成物を含む合成樹脂とし、外筒部に窓部を設けて前記内筒部の一部を視認可能とすることを特徴とする請求項１または２記載の筆記具。
【考案の詳細な説明】
【技術分野】
【０００１】
本考案は、温度変化を感知することのできる筆記具に関するものである。
【背景技術】
【０００２】
気温が低下すると、風邪をひいたり、あるいはインフルエンザに罹患しやすくなるために一定の気温以下では重ね着するなどの衣服の調節や暖房機器を使用する、あるいはマスクを着用するなどの防御策を講じることが望まれる。特に高齢者においては、気温の変化に対して感知することが難くなり、さらに温度が低下すると低体温症の懸念を生じる場合がある。
【０００３】
一方で近年、地球温暖化に伴い、熱中症の患者が増えている。特に高齢者になると汗をかきにくくなるために、体内に熱がこもりがちになり、体温を下げにくくなる。また、皮膚の温度の上昇に対して感知することが難しくなるために、暑さを自覚しにくくなり、衣服の調節や冷房器具の利用の遅れにより体温調節が十分にできない場合がある。
【０００４】
これを解決するものとして、実用新案登録第３１８１５４４号公報において、温度計測部材によって駆動されて旋回角度により温度変化を示す温度指針と、湿度計測部材によって駆動されて旋回角度により湿度変化を示す湿度指針と、前記温度指針と前記湿度指針とが旋回可能に設けられる表示パネルと、該表示パネル上における前記温度指針の旋回軸の設置位置に対する部位に設けられて前記温度指針の旋回角度に対応した温度値を表示する温度表示部と、前記表示パネル上における前記湿度指針の旋回軸の設置位置に対する部位に設けられて前記湿度指針の旋回角度に対応した湿度値を表示する湿度表示部を備え、前記表示パネル上における前記温度表示部と前記湿度表示部の間に、インフルエンザウイルスが発生しやすい温度と湿度との組み合わせを色表示するインフルエンザウイルス発生警告表示領域と、熱中症が発生しやすい温度と湿度との組み合わせを色表示する熱中症発生警告表示領域と、前記両領域以外の無警告領域とを設け、前記温度指針と前記湿度指針とが交差する前記表示パネル上の前記発生領域によって、インフルエンザウイルス流行状態か熱中症発生状態か無警告状態かを視認可能にしたことを特徴とする温湿度計が開示されている。
【０００５】
上記温湿度計によれば、温度指針と湿度指針とが交差する点が、インフルエンザウイルス発生警告表示領域あるいは熱中症発生警告表示領域であるか否かを確認することができれば、重ね着をするなどの衣服の調節をする、または冷房を入れるあるいは直射日光を避けるなどの行動を促すことができるが、高齢者にはその温湿度計の目盛を確認することが困難な場合がある。また、当該温湿度計は、高齢者にとって日常使用するものではないために、温度変化を感知する機能が衰えた高齢者に当該温湿度計を確認させるということについて、日常においてそれを怠る恐れがある。また、比較的高価なために、複数個の上記温湿度計を用意することができないという問題がある。
【０００６】
そこで、温度指針と湿度指針とが交差する点を確認することなく低温であるか否かあるいは高温であるか否かを認識することができれば高齢者についても温度管理が容易でインフルエンザや風邪等あるいは低体温症、また、熱中症になる危険を避けることができる。例えば、高齢者が日常使用するもので温度変化を確認することができれば、日常生活においても普段から見落とす恐れがない。特に筆記具であれば、比較的安価であり日常所持することから目にする機会が多い。
【先行技術文献】
【特許文献】
【０００７】
【特許文献１】実用新案登録第３１８１５４４号
【考案の概要】
【考案が解決しようとする課題】
【０００８】
本考案の課題は、高齢者にかかわらず、比較的安価で温度指針と湿度指針とが交差する点を確認することなく温度が低下するあるいは温度が上昇するなどの温度変化を容易に認識することができる筆記具を提供することである。
【課題を解決するための手段】
【０００９】
前記の課題を解決するため、本考案は、少なくとも筆記具本体とノック部とペン先部を有する筆記具であって、前記筆記具本体の全部または一部を温度変化によって可逆的に色調が変化する感温変色性組成物を含む合成樹脂よりなるという手段を講じたものである。
【００１０】
このように、筆記具本体の全部または一部を温度変化によって可逆的に色調が変化する感温変色性組成物を含む合成樹脂よりなるというものであれば、日常において目にする機会が多く見逃すという可能性は低い。さらに、携帯することができるので外出する際にも所持することができる。よって当該筆記具を常に身の回りに置くことができるので温度変化を確実に知ることができる。
【００１１】
前記の課題を解決するため、本考案は、少なくとも筆記具本体とノック部とクリップ部とペン先部を有する筆記具であって、前記ノック部あるいはクリップ部のいずれかあるいは双方を温度変化によって可逆的に色調が変化する感温変色性組成物を含む合成樹脂よりなるという手段を講じたものである。
【００１２】
このようにノック部あるいはクリップ部のいずれかあるいは双方を温度変化によって可逆的に色調が変化する感温変色性組成物を含む合成樹脂よりなるというものであれば、日常において目にする機会が多く見逃すという可能性は低い。さらに、携帯することができるので外出する際にも所持することができる。よって当該筆記具を常に身の回りに置くことができるので温度変化を確実に知ることができる。
【００１３】
ここで温度変化によって可逆的に色彩が変化するとは、色相が変化するのみならず、明度あるいは彩度が変化することを含むものである。したがって、本考案に係る筆記具における本体の全部あるいは一部が無彩色であれば、温度の上昇に伴い、低温域では黒色から徐々に変化し高温域では白色まで無段階に変化するものである。また、有彩色をベースにしたものであれば、同様に温度の上昇に伴い濃い有彩色から薄い有彩色に無段階に変化するものである。また、一定の温度域で発色する色をオレンジ色にした場合に、その温度域を離れ、低温度域になるのに従い、徐々に濃い色である黒とオレンジ色の混合色のような赤錆色に変化し、逆にその一定の温度域から高温度域になるに従い、そのオレンジ色から徐々に黄色みがかったオレンジ色に変化するというものである。従って濃い色である黒とオレンジ色の混合色である赤錆色に変化した場合は、気温が低下していることを示すものであるから、衣服を重ね着するなどの調節や空調設備を利用する、あるいは、マスクを着用するなどの防御策を講じることができる。また、黄色みを帯びたオレンジ色を示す場合は、熱中症になる温度に達していると認識することができるので、室内にいる場合は冷房をつけるあるいは、衣服を薄手のものに変更する、または、水分を補給するなどの適切な対応をとることができる。
【００１４】
最も、様々な温度域を選択可能であり、最も鮮やかに発色する温度域を例えば、およそ摂氏１度から１２度としたときに、それが鮮やかに発色した場合に、温度が低下したことを認知させることもできる。例えば本来発色する色を青色とした場合に、筆記具の筆記部本体の全部または一部あるいはノック部、またはクリップ部が青色であることを認識すると、およそ摂氏１２度以下に温度が低下したことを認識することができる。また、鮮やかに発色する温度域をたとえば、およそ、１６度から２６度にすると、快適な温度域で青色を発色することになる。したがってそれ以下の温度に低下すると、徐々に色が濃くなっていき、例えば使用者に暖房器具の使用を促すことができる。逆にそれ以上に温度が上昇すると発色した色が薄くなるので、使用者に冷房器具の使用を促すことができる。ここで鮮やかに発色するとは本来意図した色彩が発色するということであり、この温度域を外れると高温域では色が薄くなり、低温域では色が濃くなったり黒ずんだりするようになるものである。
【００１５】
ここで、感温変色性組成物とは公知の組成物であり、例えばロイコ色素、顕色性物質及び変色温度調整剤からなるものを使用することができる。これを公知の方法でマスターバッジとし、後述の合成樹脂類と公知の方法で混合することで得た感温変色性のカラーペレットを使用することが好ましい。また、上記合成樹脂は、熱可塑性樹脂が好ましい。いわゆる成形品とすることができるからである。とくに、ポリプロピレンが好ましい。
【００１６】
本考案における、筆記具本体は外筒部及び内筒部を有し、前記内筒部を可逆的に色調が変化する感温変色性組成物を含む合成樹脂とし、外筒部に窓部を設けて前記内筒部の一部を視認可能とするという手段を講じたものである。
【００１７】
内筒部を温度変化によって可逆的に色調が変化する感温変色性組成物を含む合成樹脂よりなるというものにすることで、前記窓部から内筒部を視認することができるので、日常において目にする機会が多く温度変化を見逃すという可能性は低い。さらに、比較的小型のものであるので携帯することができる。よって、筆記具を常に身の回りの置くことができるので温度変化を確実に知ることができるので温度変化に対して適切な行動を促すことができる。
【考案の効果】
【００１８】
本考案は以上のように構成され、かつ、作用するものであり、携帯が容易でありかつ比較的安価であり、温度指針と湿度指針とが交差する点を確認することなく温度変化を認識できる筆記具を提供することができるので温度変化に対する適切な措置を講じることができる。特に、気温上昇による熱中症や、気温低下による風邪等に対する適切な措置を講じることができる。特に自動車内の温度上昇に気付くのが遅れると、高齢者や乳幼児に至っては熱中症になる可能性が高いので適切な措置を講じることでそれを防止することができる。
【図面の簡単な説明】
【００１９】
【図１】筆記具の斜視図
【図２】筆記具の正面図
【図３】筆記具の背面図
【図４】筆記具の側面図
【図５】筆記具の平面図
【図６】筆記具の底面図
【考案を実施するための最良の形態】
【００２０】
筆記具１０は、筆記具本体１１とノック部１２とペン先部１３とクリップ部１４を有するものである。ノック部１２を、筆記具本体１１の内部に配置されている図示しないバネの反発力に抗して押圧するとペン先部１３が突出した状態でロックされ、さらにノック部１２を押圧すると、ロックが解除され、内部に配置されている前記図示しないバネの反発力に従って再びペン先部１３が筆記具本体１１の内部に戻るという公知の構成である。
【００２１】
もっとも、筆記具本体は、ノック部１２を有しない構成であっても好ましい。また、筆記具本体１１にクリップ１４を具備することも好ましい。なお、ノック部１２もクリップ部１４も公知である。
【００２２】
筆記具本体１１は、全体として筒状を呈し、外筒部１１ａと内筒部１１ｂを有している。前記外筒部１１ａの内側に内筒部１１ｂを配置し、これらは２重構造を呈するものである。また、外筒部１１ａには、窓部１１ｃを有し、その窓部１１ｃから内筒部１１ｂの一部が視認可能となっている。また、内筒部１１ｂの内筒端部１１ｄは、外筒部１１ａの端部１１ｅにおいて、露出するように配置されている。また、筆記具１０は左右対称である。
【００２３】
筆記具本体１１の全部を、温度変化によって可逆的に色彩が変化する感温変色性組成物を含む合成樹脂で構成することができる。すなわち外筒部１１ａと内筒部１１ｂ双方を、温度変化によって可逆的に色彩が変化する感温変色性組成物を含む合成樹脂で構成することができる。
【００２４】
また、筆記具本体１１の一部である外筒部１１ａあるいは内筒部１１ｂのいずれか一方を温度変化によって可逆的に色彩が変化する感温変色性組成物を含む合成樹脂で構成することができる。なお内筒部１１ｂのみを温度変化によって可逆的に色彩が変化する感温変色性組成物を含む合成樹脂で構成した場合、上記外筒部１１ａにおける窓部１１ｃから、筆記具本体１１における内筒部１１ｂが視認可能であるので、温度変化を確認することができる。また、その場合に前記内筒端部１１ｄは、外部に露出しているので、視認可能である（図５参照）。
【００２５】
また、クリップ１４を、温度変化によって可逆的に色彩が変化する感温変色性組成物を含む合成樹脂で構成することができる。また、その場合に筆記具本体１１の全部または一部を、温度変化によって可逆的に色彩が変化する感温変色性組成物を含む合成樹脂で構成しても好ましい。
【００２６】
本発明の筆記具１０としては、例えば、ペン先部１３に、ボールペンチップを用いたボールペン、繊維チップ、フェルトチップ、プラスチックチップ、また、万年筆やシャープペンシルに適用することができる。また上記筆記具１０にはペン先部１３がいわゆるタッチペンとして機能するものも筆記具１０に含まれるものである。またノック部１２を有し、１のペン先部１３を収納するもののみならず例えば色別あるいは、シャープペンシル、色別の複数のボールペンを収容して希望のペン先部１３を選択的に出没できるものとすることができる。
【００２７】
ここで、筆記具１０の筆記部本体１１の全部または一部あるいはノック部１２、クリップ部１４は、上記のように温度変化によって可逆的に色彩が変化する感温変色性組成物を含む合成樹脂で構成することができるが、その感温変色性組成物とは公知の組成物であり、例えばロイコ色素、顕色性物質及び変色温度調整剤からなるものを使用することができる。なお、感温変色性組成物をたとえば公知の方法により乾燥させたのちに粉末化し、これを熱可塑性樹脂などと混練することで、高濃度にそれらが配合されたマスターバッジが得られ、これに熱可塑性樹脂と混合することでカラーペレットが得られる。それを公知の方法で成形することで、上記筆記具１０の筆記部本体１１の全部または一部あるいはノック部１２またはクリップ部１４が得られる。なお、長期に渡って変色機能を持続させるために公知の可逆感温変色性組成物をマイクロカプセル化する公知の方法を採用することが好ましい。
【００２８】
また、上記熱可塑性樹脂は、ポリエチレン樹脂、ポリエステル樹脂、ポリプロピレン樹脂、ポリスチレン樹脂、アクリル樹脂、スチレンブタジエン樹脂、スチレンブタジエンアクリロニトリル樹脂、アクリルスチレン樹脂、エチレンアクリル樹脂、スチレンイソプレン樹脂、ウレタン樹脂、ポリエステル樹脂、ポリカーボネート樹脂、ナイロン樹脂、エチレン酢酸ビニル樹脂、ポリアセタール樹脂、塩化ビニル樹脂を使用することができるが、これらに限定されるものではない。なお、このうちポリプロピレン樹脂が好ましい。
【００２９】
なお、温度変化によって色彩が変化しない部分においては、公知の可逆感温変色性組成物を含まない合成樹脂を使用することができる。例えばポリエチレン樹脂、ポリエステル樹脂、ポリプロピレン樹脂、ポリスチレン樹脂、アクリル樹脂、スチレンブタジエン樹脂、スチレンブタジエンアクリロニトリル樹脂、アクリルスチレン樹脂、エチレンアクリル樹脂、スチレンイソプレン樹脂、ウレタン樹脂、ポリエステル樹脂、ポリカーボネート樹脂、ナイロン樹脂、エチレン酢酸ビニル樹脂、ポリアセタール樹脂、塩化ビニル樹脂を使用することができることは言うまでもない。
【００３０】
温度変化によって可逆的に色彩が変化する感温変色性組成物を含む合成樹脂の筆記部本体１１の全部または一部あるいはノック部１２またはクリップ部１４は、文字通り色彩が変化するが、これは色相が変化するのみならず、明度あるいは彩度が変化することを含むものである。したがって、上記合成樹脂の色彩が無彩色であれば、温度の上昇に伴い黒色から白色まで無段階に変化するものであり、例えば、あらかじめ上記合成樹脂の色彩を高彩度の色調をベースにしたものであれば、同様に温度の上昇に伴い濃い色から徐々に薄い色に変化するものである。
【００３１】
また、一定の温度域でオレンジ色を本来発色する色彩とした場合においては、一定の温度域以下では、ほぼ濃い色である黒色に近いオレンジ色の赤錆色であったものが、温度の上昇とともに、徐々に黒色が消色し、一定の温度域に到達すると本来のオレンジ色に変化する。さらに温度が上昇し、発色する温度域から外れると本来のオレンジ色から、赤みが消え黄色を帯びたオレンジ色に移行するものである。それとは逆に、温度が下がり、オレンジ色を発色する一定の温度域から外れると徐々に赤錆色に変化するという可逆的変化を奏するものである。
【００３２】
したがって、筆記具１０の筆記部本体１１の全部または一部あるいはノック部１２または、クリップ部１４の発色する温度をたとえば、およそ摂氏２４度から３３度に設定した場合において、およそ摂氏５度では、濃い色である黒色を帯びたオレンジ色である赤錆色に変化する。このように筆記具１０の筆記部本体１１の全部または一部あるいはノック部１２またはクリップ部１４が赤錆色であることを確認することにより、温度が低いことを認識することができる。よって、これを見た使用者が、重ね着をするあるいはマスクをする等の対策を講じることができる。
【００３３】
また、例えば、筆記具１０の筆記部本体１１の全部または一部あるいはノック部１２、またはクリップ部１４の発色する温度を、およそ摂氏１４度から３４度に設定した場合において、およそ摂氏１４度以下では濃い紫色例えば、ＰＡＮＴＯＮＥ（登録商標）２４２Ｃに相当する色彩にすることができる。また、摂氏１９度では若干紫色がかった桃色すなわちＰＡＮＴＯＮＥ２０７Ｃに相当する色彩にすることができる。また、２４度においては、桃色であるＰＡＮＴＯＮＥ１８４Ｃに相当する色彩にすることができ、２９度では、若干白みがかった桃色であるＰＡＮＴＯＮＥ１７７７Ｃに相当する色彩にすることができる。また、３４度では、ほぼ白色であるＰＡＮＴＯＮＥ７０５Ｃに相当する色彩にすることができる。このように筆記具１０の筆記部本体１１の全部または一部あるいはクリップ部１４が上記の濃い紫色であることを確認することにより、気温が１４度以下であることを認識することができる。また、ほぼ白色であれば、これを見た使用者が、熱中症を予防すべく水分を摂取したり、涼しい場所への移動を促すことができる。
【００３４】
なお可逆的に変化するとは、ある温度範囲における一定の温度であっても、温度の上昇時に、その一定の温度になったのかあるいは下降時にその一定の温度になったのかの履歴状態の相違により２つの異なった発色状態が出現するいわゆるヒステリシス変色現象をも含むものである。例えば、同じ温度であってもオレンジ色を発色する場合に温度の下降時には黒味が少ないオレンジ色であったものが温度の上昇時には黒味が多いオレンジ色を呈する場合であっても可逆的に変化するということに含まれる。なお、２つの異なった発色状態といってもその差は大きくなく、さらに、温度が十分に低下した場合あるいは十分に上昇した場合にほぼその差は解消されるものである。
【００３５】
また、上記の発色する温度をおよそ摂氏２４度から３３度に設定した場合において、３３度以上に温度が上昇するにしたがって、黄色みを帯びオレンジ色に変化することで、これを見た使用者が熱中症になる可能性が高いことを認識することができるので、冷房のスイッチを入れたり、水分を補給するなどの対策をとることができる。特に高温になりやすい場所、例えば、夏季の自動車内において、筆記具１０の筆記部本体１１の全部または一部あるいはノック部１２またはクリップ部１４が黄色みを帯びたオレンジ色に変化した場合に、温度がおよそ摂氏３３度以上なったことを示しているので、温度の上昇に気付くのが遅れがちになる高齢者であっても、冷房を強力にするとともに水分を補給するなど適切な対応をとることができる。また外出時においても筆記具１０を、携帯することによって、温度変化を容易に知ることができる。なお、上記のとおり温度が上昇するに従いほぼ黒色に近いオレンジ色から、赤錆色に移行し、さらに赤みを帯びたオレンジ色を経て黄色みを帯びたオレンジ色に移行するが、この色彩の変化は無段階に変化するものであり温度の低下の際には上記とはほぼ逆の色彩の変化を奏する。また、一定の温度域で本来発色する色彩をオレンジ色ではなく、上記のとおり温度の上昇に伴って濃い紫色から紫がかった桃色、またその色から桃色を経て、白色に移行するものあるいは他の色でも好ましい。
【００３６】
また上記のほか、単色の場合に発色する温度域は、上記のほか、およそ摂氏１度から１２度、８度から１６度、１１度から１９度、１４度から２３度、１６度から２６度、２２度から３１度、２４度から３３度、２７度から３６、３２度から４１度の任意の発色する温度域にすることができる。もっとも様々な条件によって発色する温度域がこれから外れる場合もあり、また、必ずしもこれらの温度域に限られないことは言うまでもない。なお、この温度域から低温側には外れると徐々に黒色の度合いが多くなり、また、高温度域に外れると本来発色する色が徐々に白色の度合いが多くなるようにすることができる。
【符号の説明】
【００３７】
１０、筆記具
１１、筆記具本体
１１ａ、外筒部
１１ｂ、内筒部
１１ｃ、窓部
１２、ノック部
１３、ペン先部
１４、クリップ部
【図１】
0003196404.tif 000003
【図２】
0003196404.tif 000004
【図３】
0003196404.tif 000005
【図４】
0003196404.tif 000006
【図５】
0003196404.tif 000007
【図６】
0003196404.tif 000008